(57)【要約】【課題】  本発明の課題は、親綱の高さ調整ができ、しかも支柱の設置スペースが必要とならず、トラックの走行の邪魔にもならない親綱装置を提供することである。【解決手段】  本発明の親綱装置１、２は、転落防止用の命綱３を掛ける親綱５と、建物の天井壁７に設けた親綱５の一端を固定する固定部９と親綱５の他端を固定する可動取付部１１と、可動取付部１１を水平方向に移動させる駆動手段１３とを備え、駆動手段１３は可動取付部１１を水平方向に移動して親綱５を上下動させている。【選択図】      図１
2005220605.tif 000002
【特許請求の範囲】
【請求項１】
転落防止用の命綱を掛ける親綱と、建物の天井壁に設けた親綱の一端を固定する固定部と親綱の他端を固定する可動取付部と、可動取付部を水平方向に移動させる駆動手段とを備え、駆動手段は可動取付部を水平方向に移動して親綱を上下動させることを特徴とする親綱装置。
【請求項２】
駆動手段は水平方向に往復動するピストンと、ピストンを駆動するシリンダとを備え、ピストンには可動取付部が固定されており、ピストンを水平方向に移動させて親綱の上下位置を調整していることを特徴とする請求項１に記載の親綱装置。
【請求項３】
請求項１又２に記載の親綱装置は複数設けてあり、一方の親綱装置の固定部と可動取付部との間に他方の親綱装置の固定部又は可動取付部の何れか一方を設けており、一方の親綱装置の親綱と他方の親綱装置の親綱とは連続して垂れ下がっていることを特徴とする親綱装置。
【請求項４】
建物の柱には操作部が設けられており、操作部の操作により命綱の使用時に親綱を命綱の懸架位置まで下げると共に命綱の非使用時に親綱を天井壁の近傍位置まで上げることを特徴とする請求項１〜３の何れか一項に記載の親綱装置。
【発明の詳細な説明】
【技術分野】
【０００１】
本発明は、親綱装置に関する。
【背景技術】
【０００２】
特許文献１に記載の従来技術では、トラックの荷台に近接した位置に設けた支柱間に親綱を掛け渡す技術が開示されている。
【０００３】
【特許文献１】特開２０００−２１０３８９号公報
【発明の開示】
【発明が解決しようとする課題】
【０００４】
しかし、上述の特許文献１に記載の従来技術では、支柱をトラックに併設する必要があるため、別途設置スペースが必要になるという問題がある。また、トラックの荷台上で作業を行なう毎に支柱を設置する必要があるとともに、作業終了後には支柱を片付ける必要があり作業に手間がかかる。一方、支柱を設置したままの状態では他のトラック走行の邪魔になるという問題がある。
【０００５】
一方、親綱を建物の天井壁に固定することが考えられるが、親綱の高さ調整ができず、親綱が天井に近い位置にあると、命綱が掛け難いという問題がある。一方、親綱が天井から離れた位置にあると、例えば荷台が高い大型のトラックが通過する際に、親綱がトラックに接触して走行の邪魔になるという問題がある。
【０００６】
そこで本発明は、親綱の高さ調整ができ、しかも支柱の設置スペースが必要とならず、トラックの走行の邪魔にもならない親綱装置を提供することを目的とする。
【課題を解決するための手段】
【０００７】
前記課題を解決するために、請求項１に記載された発明は、転落防止用の命綱を掛ける親綱と、建物の天井壁に設けた親綱の一端を固定する固定部と親綱の他端を固定する可動取付部と、可動取付部を水平方向に移動させる駆動手段とを備え、駆動手段は可動取付部を水平方向に移動して親綱を上下動させることを特徴とする。
【０００８】
請求項２に記載された発明は、請求項１に記載の発明において、駆動手段は水平方向に往復動するピストンと、ピストンを駆動するシリンダとを備え、ピストンには可動取付部が固定されており、ピストンを水平方向に移動させて親綱の上下位置を調整していることを特徴とする。
【０００９】
請求項３に記載された発明は、請求項１又２に記載の親綱装置は複数設けてあり、一方の親綱装置の固定部と可動取付部との間に他方の親綱装置の固定部又は可動取付部の何れか一方を設けており、一方の親綱装置の親綱と他方の親綱装置の親綱とは連続して垂れ下がっていることを特徴とする。
【００１０】
請求項４に記載された発明は、請求項１〜３の何れか一項に記載の発明において、建物の柱には操作部が設けられており、操作部の操作により命綱の使用時に親綱を命綱の懸架位置まで下げると共に命綱の非使用時に親綱を天井壁の近傍位置まで上げることを特徴とする。
【発明の効果】
【００１１】
請求項１に記載の発明によれば、トラックの荷台上で作業する場合は、駆動手段により可動取付部を水平方向の一方向に移動させて、親綱を下方に移動させる。一方、トラックの荷台上で作業をしない場合は、駆動手段により可動取付部を水平方向の他方向に移動させて、親綱を上方に移動させる。
【００１２】
このように、建物の天井壁に設けた可動取付部を水平方向に移動させて親綱を上下動させることができるので、作業時には親綱を下方に移動させて命綱を親綱に掛けることができ、作業終了後は親綱を上方に移動させることができ、親綱が他のトラック通過の際に邪魔にならない。
【００１３】
また、親綱を上下動させることができるので、作業者の位置に合わせて親綱の高さ調整ができる。
【００１４】
従来技術に示すような親綱を掛け渡す支柱をトラックに併設する必要がないため、トラックの荷台上で作業を行なう毎に支柱を設置したり、作業終了後に支柱を片付けたりする必要がなく作業性に優れ、別途設置スペースが必要にならない。
【００１５】
請求項２に記載の発明によれば、請求項１に記載された発明と同様の効果を得られるとともに、水平方向のピストン駆動により親綱の上下位置を調整しているので、巻取りにより親綱を上下動させる場合に比べて上下動の応答性が良い。
【００１６】
請求項３に記載された発明によれば、請求項１又は２に記載された発明と同様の効果が得られるとともに、一方の親綱装置の親綱と他方の親綱装置の親綱とは連続して垂れ下がっているので、命綱を掛けている作業者の作業範囲を広げることができ、荷台での作業がし易い。
【００１７】
また、一方の親綱と他方の親綱とを別々に操作することで、トラックの荷台の高さが前後で異なる場合においても、荷台の高さに応じて親綱を荷台の高さまで近付けることができ、荷台の前後で連続した作業がし易い。
【００１８】
請求項４に記載された発明によれば、請求項１〜３の何れか一項に記載された発明と同様の効果が得られるとともに、作業終了後には操作部を操作して親綱を天井壁の近傍位置まで上げることができるので、命綱の非使用時に例えばウイングトラックがウイングを開いたままで作業場内を移動する際にも親綱がトラックの走行の邪魔にならない。
【発明を実施するための最良の形態】
【００１９】
以下、図面を参照しながら本発明の一実施形態について説明する。図１は本発明の実施の形態に係る親綱装置を概略的に示す図であり、命綱の使用時を示す側面図、図２は図１に示す親綱装置において、命綱の非使用時を示す側面図、図３は図１に示す親綱装置の平面図である。
【００２０】
図１に示すように、本発明の実施の形態に係る親綱装置１、２は、屋根付き作業場に２つ設けられており、各親綱装置１、２は転落防止用の命綱３を掛ける親綱５と、建物の天井壁７に設けた親綱５の一端を固定する固定部９と親綱５の他端を固定する可動取付部１１と、可動取付部１１を水平方向に移動させる駆動手段１３とを備え、駆動手段１３が可動取付部部１１を水平方向に移動させて親綱５を上下動させるようになっている。
【００２１】
駆動手段１３は水平方向に往復動するピストン１５と、ピストン１５を駆動するシリンダ１７とを備え、ピストン１５及びシリンダ１７はフレーム１９を介して天井壁７に取り付けられている。ピストン１５の先端にはリング状の可動取付部１１が固定されており、フレーム１９に設けられたスライド軸２１上を可動取付部１１が移動することで、親綱５の他端が水平方向に移動するようになっている。尚、本実施の形態ではピストン１５が突出すると、固定部９と可動取付部１１との間の距離が広がり、親綱５が上方に移動するようになっている。一方、ピストン１５が収納されると、固定部９と可動取付部１１との間の距離が狭まり、親綱５が下方に移動するようになっている。
【００２２】
尚、一方の親綱装置１の固定部９と可動取付部１１との間に他方の親綱装置２の可動取付部１１を設けており、一方の親綱装置１の親綱５と他方の親綱装置２の親綱５とは連続して垂れ下がっている。
【００２３】
尚、作業場内の柱にはコントロールボックス（操作部）２３が設けられており、コントロールボックス２３を操作して、ピストン１５を水平方向に移動させて親綱５を上下動させるようになっている。尚、コントロールボックス２３では、２つの親綱装置１、２を同時に操作することもできるし、それぞれ別々に操作することもできる。
【００２４】
次に上述の構成を基に本実施の形態に係る親綱装置の作用について説明する。トラック５０の荷台５１上でシート掛けやシート外しの作業を行なう場合は、コントロールボックス２３を操作し、可動取付部１１を水平方向の一方向に移動させて、親綱５を下方に移動させる。一方、作業をしない場合には、コントロールボックス２３を操作して、可動取付部１１を水平方向の他方向に移動させて親綱５を上方に移動させる。
【００２５】
このように、建物の天井壁７に設けた可動取付部１１を水平方向に移動させて親綱５を上下動させることができるので、作業時には親綱５を下方に移動して命綱３を親綱５に掛けるとともに、作業終了後には親綱５を上方に移動させることができ、親綱５が他のトラック５０の通過の際に邪魔にならない。特に、親綱５を天井壁７の近傍位置まで上げることで、命綱３の非使用時に例えばウイングトラックがウイングを開いたままで屋根付き作業場内を通過する際に親綱５が邪魔にならない。
【００２６】
また、柱に設けたコントロールボックス２３の操作により親綱５を上下動させることができるので、作業者の位置に合わせて親綱５の高さ調整ができる。
【００２７】
また、従来技術に示すような親綱５を掛け渡す支柱をトラック５０に併設する必要がないため、トラック５０の荷台５１上で作業を行なう毎に支柱を設置したり、作業終了後に支柱を片付けたりする必要がなく作業性に優れるとともに、別途設置スペースが必要にならない。
【００２８】
一方の親綱装置１の親綱５と他方の親綱装置２の親綱５とは連続して垂れ下がっているので、命綱３を掛けている作業者の作業範囲を広げることができ、作業がし易い。
【００２９】
尚、本発明は上述した実施の形態に限定されず、その要旨を逸脱しない範囲で種々の変形が可能である。
【００３０】
図４は変形例に係る親綱装置を示す側面図である。図４に示すように荷台５１の高さが前後で異なるトラック５０での作業を示している。この場合、一方の親綱装置１と他方の親綱装置２を別々に操作することで、親綱５を荷台５１の高さまで近付けることができ、トラック５０の荷台５１の高さが前後で異なる場合においても、荷台５１の高さに応じて親綱５を荷台５１の高さまで近付けることができ、荷台５１の前後で連続した作業がし易い。
【００３１】
上述の実施の形態では、親綱装置１は天井壁７に２つ設けたが、１つであっても良いし、３つ以上であっても良い。
【００３２】
一方の親綱装置１の固定部９と可動取付部１１との間に他方の親綱装置２の可動取付部１１を設けたが、一方の親綱装置１の固定部９と可動取付部１１との間に他方の親綱装置２の固定部９を設けても良い。
【図面の簡単な説明】
【００３３】
【図１】本発明の実施の形態に係る親綱装置を示す図であり、命綱の使用時を示す側面図である。
【図２】図１に示す親綱装置において、命綱の非使用時を示す側面図である。
【図３】図１に示す親綱装置の平面図である。
【図４】変形例に係る親綱装置を示す側面図である。
【符号の説明】
【００３４】
１、２    親綱装置
３        命綱
５        親綱
７        天井壁
９        固定部
１１      可動取付部
１３      駆動手段
１５      ピストン
１７      シリンダ
２３      コントロールボックス（操作部）
【図１】
2005220605.tif 000003
【図２】
2005220605.tif 000004
【図３】
2005220605.tif 000005
【図４】
2005220605.tif 000006